(57)【特許請求の範囲】
【請求項１】
自動構内交換機と、前記自動構内交換機と専用のインタフェースで接続され、音声入出力インタフェースを有するコンピュータと、前記コンピュータと前記音声入出力インタフェースを介して接続され、利用者の音声により話者を識別する音声認識装置と、前記コンピュータと前記音声入出力インタフェースを介して接続され、あらかじめ決められたガイダンス用などの単語群を利用者に対して発生する音声合成装置と、電話の取次ぎに関する規則群を格納したデータベースを有する記憶装置と、着信電話に対する取次ぎを利用者から与えられた指示や前記記憶装置に格納された取次ぎ規則群の規則によって自動的に行う自動取次ぎ手段と、自動取次ぎの相手が不在の場合には、前記自動取次ぎの相手の立回り先としてあらかじめ登録された内線電話番号へ前記自動構内交換機から自動的に発呼し、発呼に応答した応答相手に合成音声による問いかけを行い、応答相手から否定の返事があった場合、その呼を切断して次の立回り先が登録されていれば、その電話番号に発呼し、前記自動取次ぎの相手を探し、応答相手から肯定の返事があった場合、前記自動構内交換機から着信呼を転送する自動転送手段とを備えたことを特徴とする構内電話システム。
【請求項２】
発信者の音声によって話者識別を行い、発信者が発声した発信先を単語認識し、前記発信先に対応する予め登録された番号を検索し、前記検索した番号で発信し、前記検索した番号の発信に対して応答があった場合には登録された合成音声により発信者と前記検索した番号の相手の名前を告げて取次ぎを依頼する自動発信取次ぎ手段とを備えたことを特徴とする請求項１に記載の構内電話システム。
【請求項３】
予め音声が登録されていない発信者の場合には自動的に前記発信者の発声データを記録し、前記発信者を登録者として加える自動登録手段と、前記自動登録手段の登録データに基づいて取次ぎ処理を行う取次ぎ処理手段とを備えたことを特徴とする請求項１に記載の構内電話システム。
【請求項４】
着信電話に対する取次ぎを利用者から与えられた指示や記憶装置格納の規定の取次ぎ規則によって自動的に行う自動取次ぎ工程と、自動取次ぎの相手が不在の場合には、前記自動取次ぎの相手の立回り先としてあらかじめ登録された電話番号へ自動構内交換機から自動的に発呼し、発呼に応答した応答相手に合成音声による問いかけを行い、応答相手から否定の返事があった場合、その呼を切断して次の立回り先が登録されていれば、その電話番号に発呼し、前記自動取次ぎの相手を探し、応答相手から肯定の返事があった場合、前記自動構内交換機から着信呼を転送する自動転送工程とを有することを特徴
とする構内電話システムの情報処理方法。
【請求項５】
発信者の音声によって話者識別を行い、発信者が発声した発信先を単語認識し、前記発信先に対応する予め登録された番号を検索し、前記検索した番号で発信し、前記検索した番号の発信に対して応答があった場合には登録された合成音声により発信者と前記検索した番号の相手の名前を告げて取次ぎを依頼する自動発信取次ぎ工程を有することを特徴とする請求項４に記載の構内電話システムの情報処理方法。
【請求項６】
予め音声が登録されていない発信者の場合には自動的に前記発信者の発声データを記録し、前記発信者を登録者として加える自動登録工程と、登録データに基づいて取次ぎ処理を行う取次ぎ処理工程とを有することを特徴とする請求項４に記載の構内電話システムの情報処理方法。
【発明の詳細な説明】
【０００１】
【産業上の利用分野】
本発明は、自動構内交換機（以下、「ＰＢＸ」という）とコンピュータとを接続してコンピュータからＰＢＸを制御することにより、さまざまなサービスを提供する構内電話システムおよび構内電話システムの情報処理方法に関する。
【０００２】
【従来の技術】
図１３は従来の構内電話システムを示す構成図である。図１３において、１は構内に設置して外線電話（局線電話）と内線電話および内線電話同士を交換接続するＰＢＸ、２はＰＢＸ１と公衆電話網３とを接続する局線（外線）、４はＰＢＸ１と内線電話機５、多機能電話機６とを接続する内線である。
【０００３】
以上のように構成された構内電話システムについて、その機能を説明する。構内に居る内線４の利用者は、ＰＢＸ１を通して、内線間の通話を行ったり、内線電話機５から局線２に接続して公衆電話網３にアクセスし、外部の電話機との通話を行う。
【０００４】
【発明が解決しようとする課題】
しかしながら、上記従来の構内電話システムでは、内線電話機５、多機能電話機６は上述したように電話をかける又は受けるといった機能しか提供できなかった。また、留守番電話など、利用者が不在中にメッセージを受けるなどの機能を提供するものもあるが、このような機能は、人間が行う処理機能に比べれば、当然のことであるが、非常に限定されたものであるという問題点があった。
【０００５】
本発明は上記従来の問題点を解決するもので、コンピュータに音声認識装置、音声合成装置を組み込むことにより、通常は人間の秘書が行うような電話取次ぎの作業を或る程度まで自動的に行える構内電話システム、およびコンピュータに音声認識装置、音声合成装置を組み込むことにより、通常は人間の秘書が行うような電話取次ぎの作業を或る程度まで自動的に行える構内電話システムの情報処理方法を提供することを目的とする。
【０００６】
【課題を解決するための手段】
この目的を達成するために本発明の第１の発明における構内電話システムは、自動構内交換機と、自動構内交換機と専用のインタフェースで接続され、音声入出力インタフェースを有するコンピュータと、コンピュータと音声入出力インタフェースを介して接続され、利用者の音声により話者を識別する音声認識装置と、コンピュータと音声入出力インタフェースを介して接続され、あらかじめ決められたガイダンス用などの単語群を利用者に対して発生する音声合成装置と、電話の取次ぎに関する規則群を格納したデータベースを有する記憶装置と、着信電話に対する取次ぎを利用者から与えられた指示や記憶装置に格納された取次ぎ規則群の規則によって自動的に行う自動取次ぎ手段と、自動取次ぎの相手が不在の場合には、自動取次ぎの相手の立回り先としてあらかじめ登録された内線電話番号へ自動構内交換機から自動的に発呼し、発呼に応答した応答相手に合成音声による問いかけを行い、応答相手から否定の返事があった場合、その呼を切断して次の立回り先が登録されていれば、その電話番号に発呼し、自動取次ぎの相手を探し、応答相手から肯定の返事があった場合、自動構内交換機から着信呼を転送する自動転送手段とを備えた構成を有している。
【０００７】
本発明の第２の発明における構内電話システムは、第１の発明における構内電話システムに加えて、発信者の音声によって話者識別を行い、発信者が発声した発信先を単語認識し、発信先に対応する予め登録された番号を検索し、検索した番号で発信し、検索した番号の発信に対して応答があった場合には登録された合成音声により発信者と検索した番号の相手の名前を告げて取次ぎを依頼する自動発信取次ぎ手段とを備えた構成を有している。
【０００８】
本発明の第３の発明における構内電話システムは、第１の発明における構内電話システムに加えて、予め音声が登録されていない発信者の場合には自動的に発信者の発声データを記録し、発信者を登録者として加える自動登録手段と、自動登録手段の登録データに基づいて取次ぎ処理を行う取次ぎ処理手段とを備えた構成を有している。
【０００９】
本発明の第４の発明における構内電話システムの情報処理方法は、着信電話に対する取次ぎを利用者から与えられた指示や記憶装置格納の規定の取次ぎ規則によって自動的に行う自動取次ぎ工程と、自動取次ぎの相手が不在の場合には、自動取次ぎの相手の立回り先としてあらかじめ登録された電話番号へ自動構内交換機から自動的に発呼し、発呼に応答した応答相手に合成音声による問いかけを行い、応答相手から否定の返事があった場合、その呼を切断して次の立回り先が登録されていれば、その電話番号に発呼し、自動取次ぎの相手を探し、応答相手から肯定の返事があった場合、自動構内交換機から着信呼を転送する自動転送工程とを有する構成を有している。
【００１０】
本発明の第５の発明における構内電話システムの情報処理方法は、発信者の音声によって話者識別を行い、発信者が発声した発信先を単語認識し、発信先に対応する予め登録された番号を検索し、検索した番号で発信し、検索した番号の発信に対して応答があった場合には登録された合成音声により発信者と検索した番号の相手の名前を告げて取次ぎを依頼する自動発信取次ぎ工程を有する構成を有している。
【００１１】
本発明の第６の発明における構内電話システムの情報処理方法は、予め音声が登録されていない発信者の場合には自動的に発信者の発声データを記録し、発信者を登録者として加える自動登録工程と、登録データに基づいて取次ぎ処理を行う取次ぎ処理工程とを有する構成を有している。
【００１２】
【作用】
この構成によって、利用者の音声により話者を識別し、あらかじめ決められたガイダンス用などの単語群を利用者に対して発生するようにしたので、人間の秘書が行うような電話取次ぎの作業を自動的に行うことができ、利用者に対しては利便性を一層高めることができる。
【００１３】
【実施例】
（実施例１）
以下、本発明の一実施例に係る構内電話システムおよび構内電話システムの情報処理方法について図面を用いて説明する。
【００１４】
図１は、本発明の一実施例に係る構内電話システムを示す構成図である。図１において、１はＰＢＸ、２は局線、３は公衆電話網、４は内線、５は内線電話機、６は多機能電話機であり、これらは図１３と同様のものなので、同一符号を付して説明は省略する。７はシリアルインタフェースによる伝送路９によりＰＢＸ１に接続されたコンピュータ、８はＰＢＸ１を制御するためのインタフェースプログラム等を記憶する外部記憶装置、１０はシリアルインタフェース付き多機能電話機６に接続されたコンピュータ、１１は発信者または受信者の音声により話者を識別する音声認識装置、１２は発信者または受信者に対して、あらかじめ決められたガイダンス用などの単語群を発生する音声合成装置である。
【００１５】
次に、このような構内電話システムの機能、接続について説明する。ＰＢＸ１は、発信、着信などの制御、回線接続の切替え等の機能を有し、局線２により公衆電話網３と接続されている。また、ＰＢＸ１には、ＰＢＸ１とコンピュータ７とを接続する専用インタフェースを介して、コンピュータ７が伝送路９により接続されている。コンピュータ７はＰＢＸ１の機能を制御する。さらに、コンピュータ７には外部記憶装置８が接続されている。コンピュータとしては、ＰＢＸ１に接続されているコンピュータ７と、多機能電話機６に接続されているコンピュータ１０とがある。さらに、コンピュータ７には、内蔵の音声入出力インタフェースを介して、音声認識装置１１と音声合成装置１２とが接続されている。
【００１６】
図２は、図１のコンピュータ７の機能実現手段を示す機能ブロック図である。図２において、７１は着信電話に対する取次ぎを利用者から与えられた指示や外部記憶装置８に格納された規定の取次ぎ規則によって自動的に行う自動取次ぎ手段、７２は取次ぎ処理を行う自動取次ぎ手段７１内の取次ぎ処理手段、７３は自動取次ぎの相手が不在の場合には、あらかじめ登録された内線電話番号へＰＢＸ１から自動的に発呼して、合成音声により相手を探し、探し出した相手にＰＢＸ１から着信呼を転送する自動転送手段、７４は発信者の音声によって話者識別を行い、発信者が発声した発信先を単語認識し、発信先に対応する予め登録された番号を検索し、検索した番号で発信し、検索した番号の発信に対して応答があった場合には登録された合成音声により発信者と検索した番号の相手の名前を告げて取次ぎを依頼する自動発信取次ぎ手段、７５は予め音声が登録されていない発信者の場合には自動的に発信者の発声データを記録し、発信者を登録者として加える自動登録手段である。
【００１７】
以上のように構成されたコンピュータ７の自動取次ぎ手段７１の動作について、図３のフローチャート、図４の表示図および図７のデータ図を用いて説明する。
【００１８】
まず、自動取次ぎに関するアプリケーションプログラムを実行する（Ｓ１）。すると、利用者（発信者または受信者）の内線端末（多機能電話機）６の表示装置の画面上に図４に示すような表示が出る（Ｓ２）。利用者は、画面上の指示または音声合成装置１２からの合成音声によるガイダンスに従って、通常時および不在時の取次ぎに関する指示を、内線端末６の特定のキーを押すか又は「転送１０２」のように発声してマイク（図示せず）から入力することによって、コンピュータ７に伝える（Ｓ３）。指示内容としての上記キー情報又は発声情報を入力したコンピュータ７はその指示内容を外部記憶装置８に一定のフォーマットで保存する（Ｓ４）。
【００１９】
次に、取次ぎ指示の入力が終了したか否かを判定し（Ｓ５）、終了と判定した場合には、利用者の内線端末６への着信を待つ状態となる（Ｓ６）。終了でないと判定した場合には、ステップ３、４の処理を繰り返す。ステップ６で利用者のの内線端末６へ着信があったと判定した場合には、ステップ７へ移行する。内線端末６への着信を待つ状態（Ｓ６）においては、図３に示してないが、利用者は、席を空ける時には、内線端末６の予め決められたボタンを押下することによって、不在であることをコンピュータ７に知らせることができる。
【００２０】
ステップ７では、まず音声合成装置１２からの合成音声によるガイダンス（例えば「こちらは○○課△△です。お名前をどうぞ」というようなガイダンス）を流し、発信者の発声を待つ。発信者が発声すれば、その音声を音声認識装置１１に取り込み、話者識別処理を行う（Ｓ８）。
【００２１】
次に、ステップ８の話者識別処理について、図５に示すフローチャートおよび図６に示す音声認識装置１１のブロック図を用いて説明する。電話線を通して入力された発信者の音声信号は、帯域フィルタ１３でフィルタリングされた後、Ａ／Ｄ変換器１４でサンプリング、量子化される（Ｓ２１）。音響分析部１５は入力された音声信号から音声区間を切り出し（Ｓ２２）、音声信号を話者の特徴をより明瞭に表すパラメータ（ピッチ周期や平均振幅などのパラメータ）の系列に変換する（Ｓ２３）。次に、パターン変換部１６で、離散化や参照用パターンとの時間の対応付けなどを行ない、パターンベクトルを構成する（Ｓ２４）。次いで、判定部１７で、あらかじめ登録された各登録者の標準パターンベクトルと上記パターンベクトルとの距離を計算し（Ｓ２５）、話者がシステムに登録されているどの話者であるのかを識別（話者識別）、あるいは別に入力された話者ＩＤの話者と一致するかを照合（話者照合）する（Ｓ２６）。
【００２２】
次に、図３に戻って、上記話者識別処理あるいは話者照合処理（識別処理）の結果に基づき、処理を分岐する（Ｓ９）。識別処理で、音声の既登録者中に該当者が見つかった場合はステップ１０へ移行し、見つからなかった場合はステップ１２へ移行する。ステップ１０では、該当者に関する取次ぎの指示があるかどうかを判断し、指示があればステップ１１へ移行し、指示がなければステップ１２へ移行する。ステップ１１では、取次ぎ指示に基づいて取次ぎの処理を行なう。ステップ１１の取次ぎ処理及びステップ１２の知識ベースによる取次ぎ処理（すなわち記憶装置８格納の規定による取次ぎ処理）は図２の取次ぎ処理手段７２、自動転送手段７３により行なわれるが、これらの処理の詳細については後に図８乃至図１０のフローチャートを用いて説明する。ステップ１１で取次ぎの処理が終了すれば、ステップ６に戻り、再度着信を待つ状態に入る。ステップ１２では、外部記憶装置８に保存されている電話取次ぎに関する規則（図７参照）により、とるべき処理を判断し、後述する処理を行なう。その後、ステップ６に戻り、再度着信を待つ状態に入る。
【００２３】
ここで各ステップと各手段との関係について説明すると、ステップ１〜１０は自動取次ぎ手段７１における処理動作を示し、ステップ１１および１２は上述したように取次ぎ処理手段７２、自動転送手段７３における処理動作を示す。
【００２４】
次に、ステップ１１の取次ぎ処理の詳細について、図８のフローチャートを用いて説明する。電話取次ぎの処理内容としては、図８のステップ３１に示すように、「そのまま利用者（ここでは受信者）が応答する」、「他の電話機（他の場所）へ転送する」および「一般的な留守番電話のようにメッセージを残すよう発信者に対してアナウンスする」の３つの場合が考えられる。
【００２５】
まず、上述したように、ステップ３１では、取次ぎ指示の内容によって処理の分岐が行なわれる。「そのまま利用者が応答する」という指示の場合には、呼出しのベルを鳴らし（Ｓ３２）、利用者がオフフックするのを待つ（Ｓ３３）。一定時間内にオフフックしないか、または利用者が不在の設定を行なっている場合は、コンピュータ７からＰＢＸ１に指示して自動的に回線を接続し、発信者に対して予め用意した合成音声によりガイダンス（例えば「申し訳ありませんが、ただいま応答できません。おかけ直しになるか、発信音の後にメッセージをお残し下さい」というようなガイダンス）を流す（Ｓ３４）。次いで、一定時間後に発信音を鳴らし、発信者のメッセージの録音を開始し、発信者がオンフックした時点で、ＰＢＸ１に対して利用者の内線端末６の予め決められたキーのＬＥＤを点滅させるように指示し、利用者にメッセージがあることを知らせるようにして終了する（Ｓ３５）。ステップ３３で一定時間内に利用者がオフフックすれば、利用者が応答することになり、コンピュータ７での処理は終了する。
【００２６】
「他の電話機（他の場所）へ転送する」という取次ぎ指示の場合にはステップ３６へ移行する。ステップ３６では、登録されている合成音声により、ガイダンス（例えば「ただいま、△△は他所にいますので、お電話を転送致します。そのまましばらくお待下さい」というようなガイダンス）を流し、一時的に内線端末６を保留状態にしてから、ステップ３７で、利用者が登録した電話番号（図４では１０２）に自動的に発信し、転送処理を行なう。転送先の電話機が応答したら、合成音声により、「△△さんにお電話です」などのメッセージを流し、利用者への取次ぎを依頼する（Ｓ３８）。
【００２７】
「一般的な留守番電話のようにメッセージを残すよう発信者に対してアナウンスする」という取次ぎ指示の場合にはステップ３４以下の処理を行なう。
【００２８】
ここで各ステップと各手段との関係について説明すると、ステップ３１〜３５は自動取次ぎ手段７１内の取次ぎ処理手段７２における処理動作を示し、ステップ３６〜３８は自動転送手段７３における処理動作を示す。
【００２９】
次に、ステップ１２のデフォルト（取次ぎ指示なし）の場合の取次ぎ規則による電話取次ぎ処理について、図７のデータ図および図９及び図１０のフローチャートを用いて詳細に説明する。まず、発信者の名前または団体名等について、取次ぎ規則中の見出しに該当するものがあるかどうかを判定する（Ｓ４１）。該当するものがあると判定した場合はステップ４２へ移行し、該当するものがないと判定した場合はステップ４９へ移行する。ステップ４２では、図７に示すような取次ぎ規則中にある指示を読み出し、ステップ４３で、その指示に基づいた処理を行なう。例えば発信者が森さんであった場合、図７の記述によれば最大の優先度を持つため（Ｔｉｔｌｅが“ＭＯＲＩ”のＰｒｉｏｒｉｔｙは“Ａ”であるため）、呼出しのベルを鳴らし、合成音声によって、「△△さん、森さんからお電話です。至急、お取り下さい」などの注意を促すメッセージを流す（Ｓ４４）。次に、応答の有無を判定する（Ｓ４５）。一定時間待って応答があったと判定した場合には本処理は終了するが、応答がないと判定した場合は、やはり合成音声で、「申し訳ありません。ただいま不在です。お探ししますか？」などのような問いかけを行ない、発信者の予め決められたキーの押下または音声による応答が肯定か否定かを判定する（Ｓ４６）。応答が肯定であると判定したときはステップ４９へ移行し、否定であると判定したときは、ステップ４７で、再び合成音声によってメッセージを残すようにガイダンスを流し、ステップ４８で、メッセージを記録して処理を終了する。
【００３０】
ステップ４９以降では、可能性のある立回り先への自動発呼の処理を行なう。可能性のある立回り先とは、利用者（ここでは受信者）が予めコンピュータ７に入力しておいた転送先の電話番号である。
【００３１】
ステップ４９では、登録された合成音声により、「ただいま、△△を探しております。しばらくお待ち下さい」などのメッセージを流し、発信者に待機してもらう。次に、上記可能性のある立回り先のリストを外部記憶装置８から読み出す（Ｓ５０）。次いで、リストが終りか否かを判定する（Ｓ５１）。リストが終りでないと判定した場合は、リストから電話番号を取り出して、その番号に発呼する（Ｓ５２）。次に、相手が応答したか否かを判定する（Ｓ５３）。応答したと判定した場合は、合成音声によって、「そちらに○○課の△△は来ているでしょうか？」等の問いかけを行ない（Ｓ５４）、応答者の予め決められたボタンまたは音声による返事を待つ（Ｓ５５）。ステップ５３で応答しないと判定した場合はステップ５１に戻り、リストが終了したか否かを判定する。
【００３２】
ステップ５５で、肯定の返事であると判定した場合は、転送処理により呼を接続して終了する（Ｓ５６）。否定の返事であると判定した場合は、呼を切断して（Ｓ５７）、ステップ５１に戻る。
【００３３】
ステップ５１でリストが終りと判定した場合、発信者に対して、登録された合成音声により、「申し訳ありません。△△は見つかりませんでした」などのメッセージを流し（Ｓ５８）、さらに、「メッセージがあれば発信音の後にどうぞ」などのメッセージを流す（Ｓ５９）。次に発信者が電話を切ったか否かを判定する（Ｓ６０）。発信者が電話を切ったと判定した場合は、その時点で本処理は終了する。電話を切っていないと判定した場合は、メッセージを記録して終了する（Ｓ６１）。
【００３４】
ここで各ステップと各手段との関係について説明すると、ステップ４１〜４８は自動取次ぎ手段７１内の取次ぎ処理手段７２における処理動作を示し、ステップ４９〜６１は自動転送手段７３における処理動作を示す。
【００３５】
なお、本実施例で提供される機能はコンピュータ７上に構築されるとしたが、コンピュータ１０上に構築されるとしてもよく、この場合の処理動作はコンピュータ７の場合と同様になる。また、本実施例では取次ぎに関する指示はアプリケーションプログラムに基づくとしたが、このアプリケーションプログラムとは独立に、予めコンピュータ７から取次ぎに関する指示を入力し、外部記憶装置８に蓄積しておくこともできる。この場合には図４の表示はなされない。
【００３６】
以上のように本実施例によれば、発信者の音声により話者を識別し、発信者に対して、あらかじめ決められたガイダンス用などの単語群を発生し、利用者（受信者）から与えられた指示や外部記憶装置８格納の規定の取次ぎ規則によって取次ぎを自動的に行なうようにしたので、人間の秘書が行うような電話取次ぎの作業を自動的に行うことができ、利用者に対しては利便性を一層高めることができる。また、自動取次ぎの相手が不在の場合には、あらかじめ登録された内線電話番号へＰＢＸ１から自動的に発呼して、合成音声により相手を探し、探し出した相手にＰＢＸ１から着信呼を転送するようにしたので、転送に際しても電話取次ぎの自動化が可能となる。
【００３７】
（実施例２）
以下、本発明の第２の実施例に係る構内電話システムおよび構内電話システムの情報処理方法について図面を用いて説明する。
【００３８】
図１１は、本発明の第２の実施例に係る構内電話システムの処理動作を説明するためのフローチャートであり、図２の自動発信取次ぎ手段７４における処理動作を示すものである。
【００３９】
図１１において、まず発信者が発声した相手先の名前を音声認識装置１１に取り込み（Ｓ７１）、相手先（発信先）の電話番号を検索するとともに、発信者を話者識別により特定する（Ｓ７２）。次に、相手先の電話番号に発信するようＰＢＸ１に対して指示を出し（Ｓ７３）、相手の応答を待つ（Ｓ７４）。相手が応答したと判定した場合、登録された合成音声により、発信者と相手の名前を告げて、取次ぎを依頼するメッセージ（例えば「△△から○○さんに発信しています。○○さんをお願いします」などのメッセージ）を流す（Ｓ７５）。ステップ７４で、一定時間呼出しを行なっても相手側が応答しないと判定した場合は、発信者に対して「□□番は応答しません。リダイアルしますか？」などのメッセージを流して（Ｓ７６）、リダイアルするか否かの利用者の応答を単語認識する（Ｓ７７）。一定時間をおいてリダイアルすると認識した場合にはリダイアルを行ない（Ｓ７８）、リダイアルしないと認識した場合には終了する。
【００４０】
以上のように本実施例によれば、発信者の音声によって話者識別を行い、発信者が発声した発信先を単語認識し、発信先に対応する予め登録された番号を検索し、検索した番号で発信し、検索した番号の発信に対して応答があった場合には登録された合成音声により発信者と検索した番号の相手の名前を告げて取次ぎを依頼するようにしたので、人間の秘書が行うような電話取次ぎの作業を自動的に行うことができ、また利用者に対しては利便性を一層高めることができる。
【００４１】
（実施例３）
以下、本発明の第３の実施例に係る構内電話システムおよび構内電話システムの情報処理方法について図面を用いて説明する。
【００４２】
図１２は、本発明の第３の実施例に係る構内電話システムの処理動作を説明するためのフローチャートであり、図２の自動登録手段７５における処理動作を示すものである。
【００４３】
図１２において、音声合成装置１２からの合成音声によるガイダンス（例えば「こちらは○○課です。お名前をどうぞ」などのガイダンス）を流し、発信者の発声を待つ（Ｓ８１）。発信者が発声すれば、その音声を音声認識装置１１に取り込み、話者識別処理を行なう（Ｓ８２）。識別処理の結果に基づき、処理を分岐する（Ｓ８３）。識別処理で登録者中に該当者がいたと判定した場合は、図３のステップ１０以下の処理、すなわち取次ぎ処理手段７２における処理を行なう（Ｓ８４）。識別処理で登録者中に該当者がいないと判定した場合は、発信者の発声した音声データを記憶装置８に保存し、その音声データから話者識別処理に必要となる音声の特徴量を取り出し、名前とともに記憶する（Ｓ８６）。その後は図３のステップ１２以下の処理、すなわち取次ぎ処理手段７２における処理を行なう（Ｓ８７）。
【００４４】
以上のように本実施例によれば、予め音声が登録されていない発信者の場合には自動的に発信者の発声データを記録し、発信者を登録者として加え、その後は取次ぎ処理を行なうようにしたので、登録されていない発信者に対しても人間の秘書が行うような電話取次ぎの作業を自動的に行うことができ、また利用者に対しては利便性を一層高めることができる。
【００４５】
【発明の効果】
以上のように本発明は、発信者の音声により話者を識別し、予め決められたガイダンス用などの単語群を発信者に対して発生し、受信者から与えられた指示や規定の取次ぎ規則によって取次ぎを自動的に行なうようにできるので、人間の秘書が行うような電話取次ぎの作業を自動的に行うことができ、利用者に対しては利便性を一層高めることができる構内電話システムを実現することができる。また、自動取次ぎの相手が不在の場合には、あらかじめ登録された内線電話番号へＰＢＸ１から自動的に発呼して、合成音声により相手を探し、探し出した相手にＰＢＸ１から着信呼を転送するようにできるので、転送に際しても電話取次ぎの自動化が可能となる構内電話システムを実現することができる。
【００４６】
また、発信者の音声によって話者識別を行い、発信者が発声した発信先を単語認識し、発信先に対応する予め登録された番号を検索し、検索した番号で発信し、検索した番号の発信に対して応答があった場合には登録された合成音声により発信者と検索した番号の相手の名前を告げて取次ぎを依頼するようにできるので、人間の秘書が行うような電話取次ぎの作業を自動的に行うことができ、また利用者に対しては利便性を一層高めることができる構内電話システムを実現することができる。
【００４７】
さらに、予め音声が登録されていない発信者の場合には自動的に発信者の発声データを記録し、発信者を登録者として加え、その後は取次ぎ処理を行なうようにできるので、登録されていない発信者に対しても人間の秘書が行うような電話取次ぎの作業を自動的に行うことができ、また利用者に対しては利便性を一層高めることができる構内電話システムを実現することができる。
【００４８】
さらに、発信者の音声により話者を識別し、予め決められたガイダンス用などの単語群を発信者に対して発生し、受信者から与えられた指示や規定の取次ぎ規則によって取次ぎを自動的に行なうようにできるので、人間の秘書が行うような電話取次ぎの作業を自動的に行うことができ、利用者に対しては利便性を一層高めることができる構内電話システムの情報処理方法を実現することができる。また、自動取次ぎの相手が不在の場合には、あらかじめ登録された内線電話番号へＰＢＸ１から自動的に発呼して、合成音声により相手を探し、探し出した相手にＰＢＸ１から着信呼を転送するようにできるので、転送に際しても電話取次ぎの自動化が可能となる構内電話システムの情報処理方法を実現することができる。
【００４９】
さらに、発信者の音声によって話者識別を行い、発信者が発声した発信先を単語認識し、発信先に対応する予め登録された番号を検索し、検索した番号で発信し、検索した番号の発信に対して応答があった場合には登録された合成音声により発信者と検索した番号の相手の名前を告げて取次ぎを依頼するようにできるので、人間の秘書が行うような電話取次ぎの作業を自動的に行うことができ、また利用者に対しては利便性を一層高めることができる構内電話システムの情報処理方法を実現することができる。
【００５０】
さらに、予め音声が登録されていない発信者の場合には自動的に発信者の発声データを記録し、発信者を登録者として加え、その後は取次ぎ処理を行なうようにできるので、登録されていない発信者に対しても人間の秘書が行うような電話取次ぎの作業を自動的に行うことができ、また利用者に対しては利便性を一層高めることができる構内電話システムの情報処理方法を実現することができる。
【図面の簡単な説明】
【図１】本発明の一実施例に係る構内電話システムを示す構成図
【図２】本発明の一実施例に係る構内電話システムを構成するコンピュータの機能実現手段を示す機能ブロック図
【図３】図２の自動取次ぎ手段の動作を説明するためのフローチャート
【図４】図１の多機能電話機の表示装置の画面を示す表示図
【図５】図６の音響認識装置の動作を説明するためのフローチャート
【図６】図１の音声認識装置を示すブロック図
【図７】取次ぎ指示なしの場合に使用するデータを示すデータ図
【図８】図２の取次ぎ処理手段および自動転送手段の動作を説明するためのフローチャート
【図９】図２の取次ぎ処理手段および自動転送手段の動作を説明するためのフローチャート
【図１０】図２の取次ぎ処理手段および自動転送手段の動作を説明するためのフローチャート
【図１１】図２の自動発信取次ぎ手段の動作を説明するためのフローチャート
【図１２】図２の自動登録手段の動作を説明するためのフローチャート
【図１３】従来の構内電話システムを示す構成図
【符号の説明】
１  ＰＢＸ
２  局線
３  公衆電話網
４  内線
５  内線電話機
６  多機能電話機
７、１０  コンピュータ
８  外部記憶装置
９  伝送路
１１  音声認識装置
１２  音声合成装置
１３  帯域フィルタ
１４  Ａ／Ｄ変換器
１５  音響分析部
１６  パターン変換部
１７  判定部
【図１】
0003591052.tif 000002
【図２】
0003591052.tif 000003
【図３】
0003591052.tif 000004
【図４】
0003591052.tif 000005
【図５】
0003591052.tif 000006
【図６】
0003591052.tif 000007
【図７】
0003591052.tif 000008
【図８】
0003591052.tif 000009
【図９】
0003591052.tif 000010
【図１０】
0003591052.tif 000011
【図１１】
0003591052.tif 000012
【図１２】
0003591052.tif 000013
【図１３】
0003591052.tif 000014